(57)【要約】【課題】外部から故人情報を入力して記憶する際、その故人情報を整理する機能を備えていないので、遺族等が所望する故人情報の検索に長時間を要するなどの課題があった。【解決手段】故人情報を整理してデータベース１３に保管する一方、送受信部１１が故人情報の配信要求を受信すると、配信部１５がデータベース１３に保管されている故人情報を配信するように構成した。これにより、遺族等が所望する故人情報を速やかに配信することができる効果を奏する。【選択図】　　　　図２
2004046294.tif 000002
【特許請求の範囲】
【請求項１】
故人に関する情報を収集し、その故人情報を整理する情報整理手段と、上記情報整理手段により整理された故人情報を保管する保管手段と、故人情報の配信要求を受信すると、上記保管手段に保管されている故人情報を配信する配信手段とを備えた故人情報管理装置。
【請求項２】
情報整理手段が故人の年代別に故人情報を整理し、配信手段が年代別の故人情報を配信することを特徴とする請求項１記載の故人情報管理装置。
【請求項３】
配信手段は、配信対象の年代を示す年代情報を受信すると、その年代情報が示す年代の故人情報を配信することを特徴とする請求項２記載の故人情報管理装置。
【請求項４】
情報整理手段が開示許容レベル別に故人情報を整理し、配信手段が配信要求元に対応する開示許容レベルの故人情報を配信することを特徴とする請求項１記載の故人情報管理装置。
【請求項５】
配信手段は、保管手段に保管されている故人情報のうち、所定の検索条件に合致する故人情報を検索して配信することを特徴とする請求項１記載の故人情報管理装置。
【請求項６】
配信手段は、遺骨映像の配信要求を受信すると、故人の遺骨を収納している遺骨収納体を撮像し、その遺骨収納体の映像を配信することを特徴とする請求項１記載の故人情報管理装置。
【請求項７】
配信手段は、遺骨収納体の映像を配信する際、保管手段に保管されている故人情報を一緒に配信することを特徴とする請求項６記載の故人情報管理装置。
【請求項８】
配信手段は、遺骨収納体の映像を配信する際、効果映像又は効果音を同時に配信することを特徴とする請求項６記載の故人情報管理装置。
【請求項９】
配信手段は、遺骨収納体の映像を配信する際、儀式の進行に関するアドバイス情報を配信することを特徴とする請求項６記載の故人情報管理装置。
【請求項１０】
配信手段は、仮想墓地の画像に遺骨収納体の映像を合成し、その合成画像を配信することを特徴とする請求項６記載の故人情報管理装置。
【請求項１１】
配信手段は、配信要求元から供養要求を受信すると、仮想の人間が仮想墓地にお供え物を手向けている様子を示す画像に遺骨収納体の映像を合成することを特徴とする請求項１０記載の故人情報管理装置。
【請求項１２】
保管手段が複数の記録媒体に故人情報を記録することを特徴とする請求項１から請求項１１のうちのいずれか１項記載の故人情報管理装置。
【発明の詳細な説明】
【０００１】
【発明の属する技術分野】
この発明は、故人情報を管理し、その故人情報を必要に応じて配信する故人情報管理装置に関するものである。
【０００２】
【従来の技術】
例えば特開平１０−１０５６１５号公報には、故人情報として、例えば、故人の肖像や墓石の画像を記憶し、これらの画像を必要に応じて表示することにより、画面上で墓参りを可能にする故人情報管理装置が開示されている。
なお、故人情報管理装置は、外部から故人情報を入力して記憶する記憶装置と、その記憶装置に記憶されている故人情報をリードして表示装置に出力する制御装置と、その故人情報を表示する表示装置とから構成されている。
【０００３】
【発明が解決しようとする課題】
従来の故人情報管理装置は以上のように構成されているので、故人の遺族が記憶装置を適切にメンテナンスすれば、故人情報を長期間保存することができるが、記憶装置に故障が生じると修復不可能な故人情報を消失して、以後、画面上での墓参りができなくなる課題があった。
また、外部から故人情報を入力して記憶する際、その故人情報を整理する機能を備えていないので、所望の故人情報の検索に長時間を要するなどの課題もあった。
【０００４】
この発明は上記のような課題を解決するためになされたもので、所望の故人情報を速やかに配信することができる故人情報管理装置を得ることを目的とする。
また、この発明は、機械に不慣れな遺族等がメンテナンスを行うことなく、大切な故人情報を永久に保存することができる故人情報管理装置を得ることを目的とする。
【０００５】
【課題を解決するための手段】
この発明に係る故人情報管理装置は、故人情報を整理して保管手段に保管する一方、故人情報の配信要求を受信すると、保管手段に保管されている故人情報を配信するようにしたものである。
【０００６】
この発明に係る故人情報管理装置は、情報整理手段が故人の年代別に故人情報を整理し、配信手段が年代別の故人情報を配信するようにしたものである。
【０００７】
この発明に係る故人情報管理装置は、配信対象の年代を示す年代情報を受信すると、その年代情報が示す年代の故人情報を配信するようにしたものである。
【０００８】
この発明に係る故人情報管理装置は、情報整理手段が開示許容レベル別に故人情報を整理し、配信手段が配信要求元に対応する開示許容レベルの故人情報を配信するようにしたものである。
【０００９】
この発明に係る故人情報管理装置は、保管手段に保管されている故人情報のうち、所定の検索条件に合致する故人情報を検索して配信するようにしたものである。
【００１０】
この発明に係る故人情報管理装置は、遺骨映像の配信要求を受信すると、故人の遺骨を収納している遺骨収納体を撮像し、その遺骨収納体の映像を配信するようにしたものである。
【００１１】
この発明に係る故人情報管理装置は、遺骨収納体の映像を配信する際、保管手段に保管されている故人情報を一緒に配信するようにしたものである。
【００１２】
この発明に係る故人情報管理装置は、遺骨収納体の映像を配信する際、効果映像又は効果音を同時に配信するようにしたものである。
【００１３】
この発明に係る故人情報管理装置は、遺骨収納体の映像を配信する際、儀式の進行に関するアドバイス情報を配信するようにしたものである。
【００１４】
この発明に係る故人情報管理装置は、仮想墓地の画像に遺骨収納体の映像を合成し、その合成画像を配信するようにしたものである。
【００１５】
この発明に係る故人情報管理装置は、配信要求元から供養要求を受信すると、仮想の人間が仮想墓地にお供え物を手向けている様子を示す画像に遺骨収納体の映像を合成するようにしたものである。
【００１６】
この発明に係る故人情報管理装置は、保管手段が複数の記録媒体に故人情報を記録するようにしたものである。
【００１７】
【発明の実施の形態】
以下、この発明の実施の一形態を説明する。
実施の形態１．
図１はこの発明の実施の形態１による故人情報管理装置が適用される故人情報管理システムを示す構成図であり、図において、１は故人の遺族等の家庭に設置されているパソコンやファクシミリなどの端末装置、２はインターネット、３は故人情報を管理し、その故人情報を必要に応じて端末装置１に配信する故人情報管理装置である。
【００１８】
図２はこの発明の実施の形態１による故人情報管理装置を示す構成図であり、図において、１１は端末装置１からインターネット２を介して故人情報の保管要求や配信要求等を受信する送受信部、１２は送受信部１１が故人情報の保管要求を受信して故人情報を受信すると、その故人情報を故人の年代別に整理する情報整理部（情報整理手段）、１３は情報整理部１２により整理された故人の年代別の故人情報を保管する記録媒体であるデータベース（保管手段）、１４は送受信部１１が故人情報の配信要求を受信して、配信対象の年代を示す年代情報を受信すると、その年代情報をキーにして、データベース１３からその年代の故人情報を検索する検索部、１５は検索部１４により検索された故人情報を端末装置１に配信する配信部である。なお、検索部１４及び配信部１５から配信手段が構成されている。
【００１９】
次に動作について説明する。
例えば、故人情報管理装置３を管理する管理会社と遺族の間で、故人情報を管理することについて契約が成立すると、その管理会社から故人情報管理装置３をアクセスする際に使用するユーザＩＤとパスワードが遺族に提供される。
なお、遺族が例えば故人の友人や利害関係人等にも、故人情報の開示を許可する場合には、故人の友人等にもユーザＩＤとパスワードが提供される。
【００２０】
遺族が自宅の端末装置１を操作して、例えば、管理会社のホームページを表示し、そのホームページ上からユーザＩＤとパスワードを入力すると、自宅の端末装置１がインターネット２を介して故人情報管理装置３と接続され、自宅の端末装置１から故人情報管理装置３をアクセスすることが可能になる。
【００２１】
自宅の端末装置１と故人情報管理装置３が接続されているとき、自宅の端末装置１から故人情報の保管要求を故人情報管理装置３に送信すると、故人情報管理装置３の送受信部１１が故人情報の送信を許可する送信許可信号を端末装置１に送信する。
遺族は、端末装置１が故人情報管理装置３から送信許可信号を受信すると、端末装置１を操作して故人情報を故人情報管理装置３に送信する。ただし、その故人情報を送信する際、その故人情報が故人のどの年代に属するものであるかを示す年代情報も併せて送信する。
【００２２】
ここで、故人情報としては、例えば次のようなものがある。
▲１▼写真，ビデオテープ，カセットテープなどの音声・映像記録
▲２▼履歴書，各種証書（卒業証書，資格認定書など），叙勲記録，賞状，自伝，遺言，日記，学生時代のノートなどの記録
▲３▼衣類，装飾品，時計などの愛用品の写真、愛用品のメーカ名や型名の記録
【００２３】
故人情報管理装置３の送受信部１１は、端末装置１から故人情報と年代情報を受信すると、その故人情報と年代情報を情報整理部１２に出力する。
故人情報管理装置３の情報整理部１２は、送受信部１１から故人情報と年代情報を受けると、データベース１３には故人の年代別のフォルダが用意されているので、その年代情報に対応するフォルダを選択し、そのフォルダに当該故人情報を格納する。なお、言うまでもないが、年代別のフォルダは故人毎に用意されている。
これにより、故人情報の記録が完了し、以降、遺族が直接的に故人情報を管理する必要がなくなる。
【００２４】
次に、自宅の端末装置１と故人情報管理装置３が接続されているとき、自宅の端末装置１から故人情報の配信要求を故人情報管理装置３に送信すると、故人情報管理装置３の送受信部１１が配信対象の年代を示す年代情報の送信要求を端末装置１に送信する。
遺族は、端末装置１が故人情報管理装置３から年代情報の送信要求を受信すると、端末装置１を操作して配信対象の年代を示す年代情報を故人情報管理装置３に送信する。
【００２５】
故人情報管理装置３の送受信部１１は、端末装置１から年代情報を受信すると、その年代情報を検索部１４に出力する。
故人情報管理装置３の検索部１４は、送受信部１１から年代情報を受けると、データベース１３に用意されているフォルダの中から、その年代情報に対応するフォルダを選択し、そのフォルダから故人情報をリードする。
故人情報管理装置３の配信部１５は、検索部１４が故人情報をリードすると、その故人情報を配信要求元の端末装置１に配信する。
【００２６】
以上で明らかなように、この実施の形態１によれば、情報整理部１２が故人の年代別に故人情報を整理し、配信部１５が年代別の故人情報を配信するように構成したので、遺族等が所望する年代の故人情報を速やかに配信することができる効果を奏する。
これにより、遺族等が故人情報を管理することなく、故人の知人が急に訪ねて来た時など、必要な時に速やかに故人の写真や映像等を表示することができる。
【００２７】
実施の形態２．
上記実施の形態１では、情報整理部１２が故人の故人情報を年代別に整理し、配信部１５が年代別の故人情報を配信するものについて示したが、情報整理部１２が開示許容レベル別に故人情報を整理し、配信部１５が配信要求元に対応する開示許容レベルの故人情報を配信するようにしてもよい。
【００２８】
具体的には次の通りである。
自宅の端末装置１と故人情報管理装置３が接続されているとき、自宅の端末装置１から故人情報の保管要求を故人情報管理装置３に送信すると、故人情報管理装置３の送受信部１１が故人情報の送信を許可する送信許可信号を端末装置１に送信する。
遺族は、端末装置１が故人情報管理装置３から送信許可信号を受信すると、端末装置１を操作して故人情報を故人情報管理装置３に送信する。ただし、その故人情報を送信する際、その故人情報の開示許容レベルを示すレベル情報も併せて送信する。
ここで、開示許容レベルとは、故人情報の開示を許可する配信要求元を区別するための基準であり、例えば、配信要求元が親族であれば、故人情報の開示を許可するが、友人や利害関係人（例えば、故人に係る会社の社員）には、故人情報の開示を拒否するなどの基準等がある。
【００２９】
故人情報管理装置３の送受信部１１は、端末装置１から故人情報とレベル情報を受信すると、その故人情報とレベル情報を情報整理部１２に出力する。
故人情報管理装置３の情報整理部１２は、送受信部１１から故人情報とレベル情報を受けると、データベース１３には開示許容レベル別のフォルダが用意されているので、そのレベル情報に対応するフォルダを選択し、そのフォルダに当該故人情報を格納する。なお、言うまでもないが、開示許容レベル別のフォルダは故人毎に用意されている。
これにより、故人情報の記録が完了し、以降、遺族が直接的に故人情報を管理する必要がなくなる。
【００３０】
次に、自宅の端末装置１と故人情報管理装置３が接続されているとき、自宅の端末装置１から故人情報の配信要求を故人情報管理装置３に送信すると、故人情報管理装置３の送受信部１１が故人情報の配信要求を受信する。
故人情報管理装置３の検索部１４は、送受信部１１が故人情報の配信要求を受信すると、端末装置１が故人情報管理装置３にログインする際に送信されたユーザＩＤから配信要求元の資格（例えば、遺族、親族、友人、利害関係人）を判断する。
【００３１】
そして、故人情報管理装置３の検索部１４は、配信要求元の資格に応じたフォルダを選択し、そのフォルダから故人情報をリードする。例えば、配信要求元の資格が遺族や親族であれば、すべてのフォルダから故人情報をリードするが、配信要求元の資格が友人であれば、友人に開示を許可しているレベルのフォルダのみから故人情報をリードする。
故人情報管理装置３の配信部１５は、検索部１４が故人情報をリードすると、その故人情報を配信要求元の端末装置１に配信する。
【００３２】
以上で明らかなように、この実施の形態２によれば、情報整理部１２が開示許容レベル別に故人情報を整理し、配信部１５が配信要求元に対応する開示許容レベルの故人情報を配信するように構成したので、故人のプライベートな情報を保護することができる効果を奏する。
【００３３】
実施の形態３．
上記実施の形態１，２では、特に言及していないが、データベース１３に保管されている故人情報のうち、所定の検索条件に合致する故人情報を検索して配信するようにしてもよい。
具体的には、端末装置１が故人情報の配信要求を故人情報管理装置３に送信する際、所望の故人情報を示す検索条件を故人情報管理装置３に送信する。例えば、衣類の写真の配信を希望する場合には、検索条件として“衣類”を送信する。
故人情報管理装置３の検索部１４は、送受信部１１が端末装置１から検索条件を受信すると、その検索条件に合致する故人情報を検索するようにする。
これにより、所望の故人情報を速やかに配信することができる効果を奏する。
【００３４】
実施の形態４．
図３はこの発明の実施の形態４による故人情報管理装置が適用される故人情報管理システムを示す構成図であり、図において、図１と同一符号は同一または相当部分を示すので説明を省略する。
２１は納骨堂、２２は故人の遺骨が納められている骨壷を収納する桐箱（遺骨収納体）であり、桐箱２２は棚式安置台やロッカー式保管庫に安置されている。２３は納骨堂２１の礼拝室、２４は桐箱２２を安置する礼拝室２３の礼拝台、２５は礼拝台２４に安置されている桐箱２２を撮像するカメラである。
【００３５】
次に動作について説明する。
上記実施の形態１〜３では、故人情報管理装置３が故人情報を端末装置１に配信するものについて示したが、故人情報管理装置３が端末装置１から遺骨映像の配信要求を受信すると、故人の遺骨を収納している桐箱２２を撮像し、その桐箱２２の映像を端末装置１に配信するようにしてもよい。
【００３６】
即ち、遺骨が納骨堂２１に安置されている場合、四十九日や三回忌の法要などが行われる際は、遺族や親族等が納骨堂２１に出向いて法要に参加するのが一般的である。
しかし、親族が遠方に住んでいたり、高齢の場合等には、納骨堂２１まで出向くことが困難なことがある。
そこで、この実施の形態４では、自宅に居ながらにして法要に参加できるようにしている。
【００３７】
具体的には、自宅の端末装置１と故人情報管理装置３が接続されているとき、自宅の端末装置１から遺骨映像の配信要求を故人情報管理装置３に送信すると、故人情報管理装置３の送受信部１１が遺骨映像の配信要求を受信する。
故人情報管理装置３の配信部１５は、送受信部１１が端末装置１から遺骨映像の配信要求を受信すると、図示せぬ移動装置を制御して、棚式安置台やロッカー式保管庫に安置されている桐箱２２を礼拝室２３の礼拝台２４の上に移動する。
【００３８】
故人情報管理装置３の配信部１５は、礼拝台２４の上に桐箱２２が安置されると、カメラ２５を用いて桐箱２２を撮像し、桐箱２２の映像を端末装置１に配信する。この際、法要の参加者の映像も併せて配信してもよい。
これにより、端末装置１の画面には桐箱２２の映像が表示されるので、自宅に居ながらにして法要等に参加することができる。
【００３９】
なお、故人情報管理装置３の配信部１５は、桐箱２２の映像を端末装置１に配信する際、桐箱２２の背景映像として、例えば、天界の風景や宗教画など、荘厳な雰囲気を醸し出す効果映像を配信するようにしてもよい。また、読経や讃美歌などの効果音を配信するようにしてもよい。さらに、データベース１３に保管されている故人情報を一緒に配信するようにしてもよい。
これにより、法要等に参加している現実感を高めることができる。
【００４０】
この実施の形態４では、図示せぬ移動装置を制御して、棚式安置台やロッカー式保管庫に安置されている桐箱２２を礼拝室２３の礼拝台２４の上に移動するものについて示したが、図示せぬ移動装置を制御して、カメラ２５を棚式安置台やロッカー式保管庫に安置されている桐箱２２の前に移動するようにしてもよい。
【００４１】
実施の形態５．
上記実施の形態４では、桐箱２２の映像を端末装置１に配信するものについて示したが、桐箱２２の映像を配信する際、儀式の進行に関するアドバイス情報を配信するようにしてもよい。
これにより、端末装置１の画面には、図４に示すように、例えば、合掌のタイミングなどを示すアドバイス情報を表示することができる。
また、桐箱２２の映像を配信する際、経文や儀式の残り時間を配信すれば、経文や儀式の残り時間を端末装置１の画面に表示することができる。
【００４２】
実施の形態６．
上記実施の形態４では、桐箱２２の映像を端末装置１に配信するものについて示したが、インターネット上に仮想墓地を作成し、桐箱２２の映像を配信する際、仮想墓地の画像に桐箱２２の映像を合成して、その合成画像を端末装置１に配信するようにしてもよい。
これにより、法要や墓参り等に参加している現実感を高めることができる。なお、仮想墓地の背景も季節に合せて変化させるようにすれば、現実感を一層引き立てることができる。
【００４３】
また、故人情報管理装置３の配信部１５が合成画像を端末装置１に配信するだけでなく、送受信部１１が端末装置１から供養要求を受信すると、仮想の人間が仮想墓地にお供え物（例えば、花、線香）を手向けている様子を示す画像に桐箱２２の映像を合成して、その合成画像を端末装置１に配信するようにしてもよい。
これにより、墓参り等の雰囲気が醸し出されるため、心理的な満足感を得ることができる。
【００４４】
実施の形態７．
上記実施の形態１〜６では、特に言及していないが、複数のデータベース１３を用意して、各データベース１３を異なる場所に設置し、情報整理装置１２が故人情報を複数のデータベース１３に格納するようにしてもよい。
これにより、一つのデータベース１３が故障して故人情報を消失しても、他のデータベース１３が故人情報をバックアップすることができるため、機械に不慣れな遺族等がメンテナンスを行うことなく、大切な故人情報を永久に保存することができる効果を奏する。
【００４５】
実施の形態８．
上記実施の形態１〜７では、遺族が管理会社と契約を結ぶものについて示したが、これに限るものではなく、例えば、故人が生前中に管理会社と契約を結ぶようにしてもよい。この場合、生前中から情報配信を開始してもよい。
また、故人の先祖を含む歴代の故人の故人情報を管理するようにしてもよいし、故人情報として家計図などを管理するようにしてもよい。
【００４６】
【発明の効果】
以上のように、この発明によれば、故人情報を整理して保管手段に保管する一方、故人情報の配信要求を受信すると、保管手段に保管されている故人情報を配信するように構成したので、所望の故人情報を速やかに配信することができる効果がある。
【００４７】
この発明によれば、情報整理手段が故人の年代別に故人情報を整理し、配信手段が年代別の故人情報を配信するように構成したので、遺族等が所望する年代の故人情報を速やかに配信することができる効果がある。
【００４８】
この発明によれば、配信対象の年代を示す年代情報を受信すると、その年代情報が示す年代の故人情報を配信するように構成したので、遺族等が所望する年代の故人情報を速やかに配信することができる効果がある。
【００４９】
この発明によれば、情報整理手段が開示許容レベル別に故人情報を整理し、配信手段が配信要求元に対応する開示許容レベルの故人情報を配信するように構成したので、故人のプライベートな情報を保護することができる効果がある。
【００５０】
この発明によれば、保管手段に保管されている故人情報のうち、所定の検索条件に合致する故人情報を検索して配信するように構成したので、所望の故人情報を速やかに配信することができる効果がある。
【００５１】
この発明によれば、遺骨映像の配信要求を受信すると、故人の遺骨を収納している遺骨収納体を撮像し、その遺骨収納体の映像を配信するように構成したので、納骨堂等に出向くことなく、法要等に参加することができる効果がある。
【００５２】
この発明によれば、遺骨収納体の映像を配信する際、保管手段に保管されている故人情報を一緒に配信するように構成したので、法要等に参加している現実感を高めることができる効果がある。
【００５３】
この発明によれば、遺骨収納体の映像を配信する際、効果映像又は効果音を同時に配信するように構成したので、法要等に参加している現実感を高めることができる効果がある。
【００５４】
この発明によれば、遺骨収納体の映像を配信する際、儀式の進行に関するアドバイス情報を配信するように構成したので、例えば、合掌のタイミングなどを指示することができる効果がある。
【００５５】
この発明によれば、仮想墓地の画像に遺骨収納体の映像を合成し、その合成画像を配信するように構成したので、法要や墓参り等に参加している現実感を高めることができる効果がある。
【００５６】
この発明によれば、配信要求元から供養要求を受信すると、仮想の人間が仮想墓地にお供え物を手向けている様子を示す画像に遺骨収納体の映像を合成するように構成したので、墓参り等の雰囲気が醸し出される結果、心理的な満足感を高めることができる効果がある。
【００５７】
この発明によれば、保管手段が複数の記録媒体に故人情報を記録するように構成したので、機械に不慣れな遺族等がメンテナンスを行うことなく、大切な故人情報を永久に保存することができる効果がある。
【図面の簡単な説明】
【図１】この発明の実施の形態１による故人情報管理装置が適用される故人情報管理システムを示す構成図である。
【図２】この発明の実施の形態１による故人情報管理装置を示す構成図である。
【図３】この発明の実施の形態４による故人情報管理装置が適用される故人情報管理システムを示す構成図である。
【図４】端末装置の画面を示す説明図である。
【符号の説明】
１　端末装置、２　インターネット、３　故人情報管理装置、１１　送受信部、１２　情報整理部（情報整理手段）、１３　データベース（保管手段）、１４検索部（配信手段）、１５　配信部（配信手段）、２１　納骨堂、２２　桐箱（遺骨収納体）、２３　礼拝室、２４　礼拝台、２５　カメラ。
【図１】
2004046294.tif 000003
【図２】
2004046294.tif 000004
【図３】
2004046294.tif 000005
【図４】
2004046294.tif 000006